【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
照明装置であって、
・当該照明装置は光源（１）を有しており、当該光源は発散電磁放射線（６）を光導体（２）内に入力するのに適しており、
・前記電磁放射線（６）は光導体（２）内で全反射に基づいて案内され、
・前記光導体（２）は、前記電磁放射線（６）の主放射方向（１７）を変えるのに適しており、
・前記光導体（２）は一体的に構成されている、
ことを特徴とする照明装置。
【請求項２】
前記光導体（２）は第１の部分（３）を有しており、当該第１の部分は、該第１の部分を通る電磁放射線（６）の発散量を低減させるのに適している、請求項１記載の照明装置。
【請求項３】
前記第１の部分（３）は少なくとも１つの平らな側面（７）を有している、請求項１または２記載の照明装置。
【請求項４】
前記第１の部分（３）は少なくとも１つの湾曲された側面（７）を有している、請求項１から３までのいずれか１項記載の照明装置。
【請求項５】
前記第１の部分（３）は少なくとも部分的に以下の光学素子のうちの１つの光学素子の様式に従って構成されている：すなわち、ＣＰＣ、ＣＨＣ、ＣＥＣ、円錐断端形状光学系、ピラミッド断端形状光学系のうちの１つの様式に従って構成されている、請求項１から４までのいずれか１項記載の照明装置。
【請求項６】
前記第１の部分（３）は、前記電磁放射線（６）を、前記光導体（２）の第２の部分（４）へ案内する、請求項１から５までのいずれか１項記載の照明装置。
【請求項７】
前記光導体（２）は第２の部分（４）を有しており、当該第２の部分は前記電磁放射線の主放射方向（１７）を変えるのに適している、請求項１から６までのいずれか１項記載の照明装置。
【請求項８】
前記第２の部分（４）は偏向面（８）を有しており、当該偏向面は、光導体（２）内で前記電磁放射線（６）の少なくとも一部を反射するのに適している、請求項１から７までのいずれか１項記載の照明装置。
【請求項９】
前記第１の部分（３）から到来する電磁放射線（６）の大部分は偏向面（８）に入射する、請求項１から８までのいずれか１項記載の照明装置。
【請求項１０】
前記偏光面（８）は前記第１の部分（３）の長手軸（１５）と交差する、請求項１から９までのいずれか１項記載の照明装置。
【請求項１１】
前記偏光面（８）は平らに構成されている、請求項１から１０までのいずれか１項記載の照明装置。
【請求項１２】
前記偏光面（８）は湾曲を有している、請求項１から１０までのいずれか１項記載の照明装置。
【請求項１３】
前記偏光面（８）は少なくとも部分的に、前記光導体（２）から凸状に湾曲されている、請求項１から１２までのいずれか１項記載の照明装置。
【請求項１４】
前記偏光面（８）は少なくとも部分的に、以下の湾曲のうちの１つを有している：すなわち、放物線状、楕円状、球面状、非球面状の湾曲のうちの１つを有している、請求項１２または１３記載の照明装置。
【請求項１５】
前記光導体（２）の偏光面（８）は２つの部分から構成されている、請求項１から１４までのいずれか１項記載の照明装置。
【請求項１６】
前記偏光面（８）は第１の平らな部分（８ａ）をおよび第２の平らな部分（８ｂ）を有しており、
前記第１の部分は光導体（２）の第１の部分（３）の長手軸（１５）と第１の角度（Φａ）を成し、前記第２の部分は光導体（２）の第１の部分（３）の長手軸（１５）と第２の角度（Φｂ）を成し、前記第１の角度は前記第２の角度よりも大きい、請求項１から１５までのいずれか１項記載の照明装置。
【請求項１７】
前記第２の部分（４）は、前記主放射方向（１７）を所定の角度だけ変えるのに適している、請求項１から１６までのいずれか１項記載の照明装置。
【請求項１８】
前記第２の部分（４）は、前記主放射方向（１７）を９０°回転させるのに適している、請求項１から１７までのいずれか１項記載の照明装置。
【請求項１９】
前記第２の部分（４）は、前記電磁放射線（６）を、前記光導体（２）の第３の部分（５）へ案内する、請求項１から１８までのいずれか１項記載の照明装置。
【請求項２０】
前記光導体（２）は第３の部分（５）を有しており、当該第３の部分は前記電磁放射線（６）を光導体（２）の放射線出射面（１２）に導くのに適している、請求項１から１９までのいずれか１項記載の照明装置。
【請求項２１】
前記第３の部分は、当該第３の部分を通る放射線（６）の発散量を低減させるのに適している、請求項１から２０までのいずれか１項記載の照明装置。
【請求項２２】
前記第３の部分（５）は少なくとも１つの平らな側面（１１）を有している、請求項１から２１までのいずれか１項記載の照明装置。
【請求項２３】
前記第３の部分（５）は少なくとも１つの湾曲された側面（１１）を有している、請求項１から２２までのいずれか１項記載の照明装置。
【請求項２４】
前記第３の部分（５）は少なくとも部分的に以下の光学素子のうちの１つの光学素子の様式に従って構成されている：すなわち、ＣＰＣ、ＣＥＣ、ＣＨＣ、円錐断端形状光学系、ピラミッド断端形状光学系のうちの１つの光学素子の様式に従って構成されている、請求項１から２３までのいずれか１項記載の照明装置。
【請求項２５】
前記光導体（２）は放射線出射面（１２）を有しており、当該放射線出射面を通って、光導体（２）内に入力された放射線（６）の一部が光導体（２）を離れる、請求項１から２４までのいずれか１項記載の照明装置。
【請求項２６】
前記光導体（２）内に入力された放射線（６）の大部分は、光導体（２）を前記放射線出射面（１２）を通って離れる、請求項１から２５までのいずれか１項記載の照明装置。
【請求項２７】
前記光導体（２）の放射線出射面（１２）は平らに構成されている、請求項１から２６までのいずれか１項記載の照明装置。
【請求項２８】
前記放射線出射面（１２）は少なくとも部分的に、以下の湾曲のうちの１つを有している：すなわち、球面状、楕円状、非球面状の湾曲のうちの１つを有している、請求項１から２６までいずれか１項記載の照明装置。
【請求項２９】
前記放射線出射面（１２）は拡散して光を散乱させるように構成されている、請求項１から２８までのいずれか１項記載の照明装置。
【請求項３０】
前記放射線出射面（１２）は粗面化されている、請求項１から２９までのいずれか１項記載の照明装置。
【請求項３１】
前記光導体（２）は中実体として構成されている、請求項１から３０までのいずれか１項記載の照明装置。
【請求項３２】
前記光導体（２）は空洞無く構成されている、請求項１から３１までのいずれか１項記載の照明装置。
【請求項３３】
前記光導体（２）は透明な材料から構成されている、請求項１から３２までのいずれか１項記載の照明装置。
【請求項３４】
前記光導体（２）を構成する材料は少なくとも１．３の屈折率を有している、請求項１から３３までのいずれか一項記載の照明装置。
【請求項３５】
前記光導体（２）は以下の材料のうちの１つを含有している：すなわち、ＰＭＭＡ、ポリカーボネート、ＰＭＭＩ、ＣＯＣ、ガラスのうちの１つを含有する、請求項１から３４までのいずれか１項記載の照明装置。
【請求項３６】
前記光源（１）は前記光導体（２）の第１の部分（３）内に配置されている、請求項１から３５までのいずれか１項記載の照明装置。
【請求項３７】
前記光導体（２）は放射線入射面（１４）を有している、請求項１から３５までのいずれか１項記載の照明装置。
【請求項３８】
前記放射線入射面（１４）は、主放射方向（１７）において前記光源（１）の後ろに配置されている、請求項１から３７までのいずれか１項記載の照明装置。
【請求項３９】
前記放射線入射面（１４）は、当該放射線入射面を通る放射線（６）を屈折させるのに適している、請求項３７または３８記載の照明装置。
【請求項４０】
前記放射線入射面（１４）は、当該放射線入射面を通る放射線（６）を、前記光導体（２）の第１の部分（３）の長手軸（１５）の方へ屈折させるのに適している、請求項３７から３９までのいずれか１項記載の照明装置。
【請求項４１】
前記放射線入射面（１４）は、当該放射線入射面を通る放射線（６）の発散量を低減させるのに適している、請求項３７から４０までのいずれか１項記載の照明装置。
【請求項４２】
前記放射線入射面（１４）は湾曲を有している、請求項３７から４１までのいずれか１項記載の照明装置。
【請求項４３】
前記放射線入射面（１４）は以下の湾曲のうちの１つを有している：すなわち、球面状、楕円状、非球面状の湾曲のうちの１つを有している、請求項１から４２までのいずれか１項記載の照明装置。
【請求項４４】
前記放射線入射面（１４）は少なくとも部分的に光導体（２）から凸状に湾曲されている、請求項３７から４３までのいずれか１項記載の照明装置。
【請求項４５】
前記光源（１）は少なくとも１つの発光ダイオードチップを含んでいる、請求項１から４４までのいずれか１項記載の照明装置。
【請求項４６】
請求項１から４５までのいずれか１項に記載された照明装置を有する表面発光システムであって、
当該照明システムは電磁放射線を平面状の光導体（２０）内に放射する、
ことを特徴とする表面発光システム。
【請求項４７】
ディスプレイ、殊にＬＣＤディスプレイのバックライトのための、請求項１から４５までのいずれか１項に記載された照明装置の使用方法。